(57)【要約】【課題】デバイス制御部が実装される基板が取り外された場合であっても、デバイス制御部への給電停止前に制御終了処理を終了させることが可能な電子機器を提供すること。【解決手段】画像処理装置は、表示パネルの動作を制御し、制御終了信号が入力された場合に制御終了処理を実行する表示制御部７２と、表示制御部７２が実装される基板に設けられ、表示制御部７２に電力を供給する第１電源８２と、第１電源８２に接続されるアノード端子、及び表示制御部７２に接続されるカソード端子を有するダイオード８３１と、ダイオード８３１のカソード端子とグランドとの間に接続される平滑コンデンサ８３２と、ダイオード８３１における逆バイアスを検出する検出部８３３と、検出部８３３によって逆バイアスが検出された場合に、前記制御終了信号を生成して表示制御部７２に出力する信号出力部８３４と、を備える。【選択図】図４
2018036697.tif 000002
【特許請求の範囲】
【請求項１】
デバイスの動作を制御し、予め定められた制御終了信号が入力された場合に予め定められた制御終了処理を実行するデバイス制御部と、
前記デバイス制御部が実装される第１基板に設けられ、前記デバイス制御部に電力を供給する第１電源と、
前記第１基板とは異なる第２基板に設けられ、前記第１電源に電力を供給する第２電源と、
前記第１電源に接続されるアノード端子、及び前記デバイス制御部に接続されるカソード端子を有するダイオードと、
前記カソード端子とグランドとの間に接続されるコンデンサと、
前記ダイオードにおける逆バイアスを検出する検出部と、
前記検出部によって前記逆バイアスが検出された場合に、前記制御終了信号を前記デバイス制御部に出力する信号出力部と、
を備える電子機器。
【請求項２】
前記検出部は、第１抵抗器を介して前記アノード端子に接続されるベース端子、前記カソード端子に接続されるエミッタ端子、及び前記信号出力部に接続されるコレクタ端子を有するＰＮＰ型トランジスターを含み、
前記信号出力部は、前記カソード端子と前記デバイス制御部における前記制御終了信号が入力される入力端子との間に接続される第２抵抗器と、第３抵抗器を介して前記ＰＮＰ型トランジスターの前記コレクタ端子に接続されるベース端子、前記入力端子に接続されるコレクタ端子、及びグランドに接続されるエミッタ端子を有するＮＰＮ型トランジスターと、を含む、
請求項１に記載の電子機器。
【請求項３】
前記デバイスは表示パネルである、
請求項１又は２に記載の電子機器。
【請求項４】
原稿から画像データを読取可能な画像読取部、及び画像データに基づいて画像を形成可能な画像形成部のいずれか一方又は両方を備える、
請求項１〜３のいずれかに記載の電子機器。
【発明の詳細な説明】
【技術分野】
【０００１】
本発明は、予め定められた制御終了処理が実行されるデバイス制御部を備える電子機器に関する。
【背景技術】
【０００２】
プリンターのような電子機器には、表示パネルなどのデバイスと、前記表示パネルの動作を制御する表示制御部などのデバイス制御部とが設けられることがある。この種の電子機器では、外部電源に接続された電源から供給される電力によってデバイス制御部が動作する。また、電子機器では、デバイス制御部への給電が停止される前に、デバイス制御部において予め定められた制御終了処理が実行されることがある。例えば、表示制御部で実行される前記制御終了処理では、表示パネルへの給電が停止された後に、表示制御部内に設けられた表示パネルを駆動する制御回路への給電が停止される。
【０００３】
ところで、電子機器では、ユーザーによる主電源スイッチの操作又は停電などにより外部電源と電源との間の電力供給経路が遮断されることがある。この場合、前記制御終了処理が終了する前にデバイス制御部への給電が停止されて、デバイスの動作に異常が生じるなどの不具合が発生することがある。これに対し、電源の出力電圧の低下が検出された場合に、前記制御終了処理を実行可能な電子機器が知られている（例えば、特許文献１参照）。
【先行技術文献】
【特許文献】
【０００４】
【特許文献１】特開２０００−３０５５２４号公報
【発明の概要】
【発明が解決しようとする課題】
【０００５】
ところで、電源に他の負荷が接続される場合、電源の出力電圧が急激に低下して、前記制御終了処理の終了がデバイス制御部への給電停止に間に合わないことがある。これに対し、外部電源と電源との間の電力供給経路の遮断によって前記電源よりも先に出力電圧が低下する他の電源の出力電圧の検出結果に基づいて、デバイス制御部によって前記制御終了処理が実行されることが考えられる。しかしながら、前記他の電源が、デバイス制御部が実装される基板とは異なる他の基板に設けられる場合には、前記他の電源の出力電圧を検出する検出回路も前記他の基板に設けられる。そのため、デバイス制御部が実装される基板が電子機器から取り外された場合に、デバイス制御部への給電停止前に前記制御終了処理を終了することができなくなる。
【０００６】
本発明の目的は、デバイス制御部が実装される基板が取り外された場合であっても、デバイス制御部への給電停止前に前記制御終了処理を終了させることが可能な電子機器を提供することにある。
【課題を解決するための手段】
【０００７】
本発明に係る電子機器は、デバイス制御部と、第１電源と、第２電源と、ダイオードと、コンデンサと、検出部と、信号出力部とを備える。前記デバイス制御部は、デバイスの動作を制御し、予め定められた制御終了信号が入力された場合に予め定められた制御終了処理を実行する。前記第１電源は、前記デバイス制御部が実装される第１基板に設けられ、前記デバイス制御部に電力を供給する。前記第２電源は、前記第１基板とは異なる第２基板に設けられ、前記第１電源に電力を供給する。前記ダイオードは、前記第１電源に接続されるアノード端子、及び前記デバイス制御部に接続されるカソード端子を有する。前記コンデンサは、前記カソード端子とグランドとの間に接続される。前記検出部は、前記ダイオードにおける逆バイアスを検出する。前記信号出力部は、前記検出部によって前記逆バイアスが検出された場合に、前記制御終了信号を前記デバイス制御部に出力する。
【発明の効果】
【０００８】
本発明によれば、デバイス制御部が実装される基板が取り外された場合であっても、デバイス制御部への給電停止前に前記制御終了処理を終了させることが可能な電子機器が実現される。
【図面の簡単な説明】
【０００９】
【図１】図１は、本発明の実施形態に係る画像処理装置の構成を示す図である。
【図２】図２は、本発明の実施形態に係る画像処理装置のシステム構成を示すブロック図である。
【図３】図３は、本発明の実施形態に係る画像処理装置の電源部の構成を示すブロック図である。
【図４】図４は、本発明の実施形態に係る画像処理装置の信号出力回路の構成を示す回路図である。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
［画像処理装置１０の概略構成］
まず、図１〜図３を参照しつつ、本発明の実施形態に係る画像処理装置１０の概略構成について説明する。ここで、図１は画像処理装置１０の構成を示す断面模式図である。
【００１２】
画像処理装置１０は、原稿から画像データを読み取るスキャン機能、及び画像データに基づいて画像を形成するプリント機能と共に、ファクシミリ機能、又はコピー機能などの複数の機能を有する複合機である。ここに、画像処理装置１０が、本発明における電子機器の一例である。また、本発明は、スキャナー装置、プリンター装置、ファクシミリ装置、コピー機、パーソナルコンピューター、テレビ、空気調和器、及び冷蔵庫などの電子機器に適用可能である。
【００１３】
図１及び図２に示されるように、画像処理装置１０は、ＡＤＦ１、画像読取部２、画像形成部３、給紙部４、メイン制御部５、操作部６、表示部７、及び電源部８を備える。
【００１４】
ＡＤＦ１は、原稿セット部、複数の搬送ローラー、原稿押さえ、及び排紙部を備え、画像読取部２によって読み取られる原稿を搬送する自動原稿搬送装置である。画像読取部２は、原稿台、光源、複数のミラー、光学レンズ、及びＣＣＤ（Charge Coupled Device）を備え、原稿から画像データを読み取ることが可能である。
【００１５】
画像形成部３は、画像読取部２で読み取られた画像データ又は外部のパーソナルコンピューター等の情報処理装置から入力された画像データに基づいて、電子写真方式で画像を形成可能である。具体的に、画像形成部３は、感光体ドラム、帯電装置、光走査装置（ＬＳＵ）、現像装置、転写ローラー、クリーニング装置、定着ローラー、加圧ローラー、及び排紙トレイを備える。そして、画像形成部３では、給紙部４から供給されるシートに画像が形成されて、画像形成後の前記シートが前記排紙トレイに排出される。
【００１６】
メイン制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性の記憶部である。前記ＥＥＰＲＯＭは、不揮発性の記憶部である。メイン制御部５では、前記ＣＰＵにより前記ＲＯＭに予め記憶された各種の制御プログラムが実行される。これにより、画像処理装置１０がメイン制御部５により統括的に制御される。なお、メイン制御部５は、集積回路（ＡＳＩＣ）などの電子回路で構成されたものであってもよく、画像処理装置１０を統括的に制御する制御部とは別に設けられた制御部であってもよい。
【００１７】
操作部６は、ユーザーの操作に応じてメイン制御部５に各種の情報を入力する操作キー又はタッチパネルである。
【００１８】
表示部７は、メイン制御部５からの制御指示に応じて画像処理装置１０の動作状態などの各種の情報を表示する。図２に示されるように、表示部７は、表示パネル７１及び表示制御部７２を備える。例えば、表示パネル７１は液晶パネルである。
【００１９】
表示制御部７２は、表示パネル７１の表示を制御可能である。例えば、表示制御部７２は、後述する電源部８の第１電源８２から給電される３．３Ｖの電圧により動作する制御回路、及び第１電源８２から給電される３．３Ｖの電圧を２４Ｖの駆動電圧に昇圧して表示パネル７１に供給する昇圧回路を備える。前記制御回路は、メイン制御部５から入力される画面データに基づいて、表示パネル７１の駆動を制御する。
【００２０】
また、表示制御部７２は、表示パネル７１の表示制御の終了前には、予め定められた制御終了処理を実行する。前記制御終了処理では、前記昇圧回路及び前記制御回路への給電が、前記昇圧回路及び前記制御回路の順に停止される。ここに、表示パネル７１が、本発明におけるデバイスの一例である。また、表示制御部７２が、本発明におけるデバイス制御部の一例である。なお、本発明におけるデバイスは、前記制御終了処理を実行可能な他の機器であってもよい。例えば、本発明におけるデバイスは、ハードディスクドライブ、又はモーターなどであってもよい。
【００２１】
表示制御部７２は、予め定められた制御終了信号が入力された場合に、前記制御終了処理を実行する。例えば、表示制御部７２は、入力端子７２Ａ（図４参照）に入力される電気信号の入力レベルがハイレベルからローレベルに切り替わった場合に、前記制御終了処理を実行する。即ち、入力端子７２Ａに入力されるローレベルの電気信号が、本発明における予め定められた制御終了信号の一例である。なお、表示制御部７２は、入力端子７２Ａに入力される電気信号の入力レベルがローレベルからハイレベルに切り替わった場合に、前記制御終了処理を実行してもよい。
【００２２】
電源部８は、画像処理装置１０の各部に電力を供給する。図２及び図３に示されるように、電源部８は、第２電源８１、第１電源８２、及び信号出力回路８３を備える。
【００２３】
第２電源８１は、図３に示されるように、外部電源２０から供給される電力を第１電源８２に供給する。また、第２電源８１は、図３に示されるように、外部電源２０から供給される電力を他の負荷１０Ｃに供給する。例えば、他の負荷１０Ｃは、ＡＤＦ１、画像読取部２、及び画像形成部３である。
【００２４】
例えば、第２電源８１は、外部電源２０から供給される１００ボルトの交流電圧を２４ボルトの直流電圧に変換するＡＣ−ＤＣコンバーターである。第２電源８１は、図３に示されるように、第２基板１０Ａに設けられる。
【００２５】
第１電源８２は、図３に示されるように、第２電源８１から供給される電力を表示制御部７２に供給する。また、第１電源８２は、図３に示されるように、第２電源８１から供給される電力を他の負荷１０Ｄに供給する。例えば、他の負荷１０Ｄは、メイン制御部５、及び外部の情報処理装置と通信する通信インターフェイスなどである。
【００２６】
例えば、第１電源８２は、第２電源８１から供給される２４ボルトの直流電圧を３．３ボルトの直流電圧に変換するＤＣ−ＤＣコンバーターである。第１電源８２は、図３に示されるように、第２基板１０Ａとは異なる第１基板１０Ｂに設けられる。また、信号出力回路８３、表示制御部７２、及び他の負荷１０Ｄも、第１基板１０Ｂに設けられる。
【００２７】
ところで、画像処理装置１０では、ユーザーによる主電源スイッチの操作又は停電などにより外部電源２０と第２電源８１との間の電力供給経路が遮断されることがある。この場合に、表示制御部７２への給電が、表示制御部７２において実行される前記制御終了処理の終了前に停止されると、表示パネル７１の動作に異常が生じるなどの不具合が発生することがある。これに対し、第１電源８２の出力電圧の低下が検出された場合に、前記制御終了処理を実行可能な電子機器が知られている。
【００２８】
ここで、画像処理装置１０のように、第１電源８２に他の負荷１０Ｄが接続される場合、第１電源８２の出力電圧が急激に低下して、表示制御部７２への給電停止前に前記制御終了処理が終了しないことがある。これに対し、第１電源８２よりも外部電源２０による給電経路上における上流側の第２電源８１の出力電圧の検出結果に基づいて、表示制御部７２に前記制御終了処理を実行させることが考えられる。しかしながら、第２電源８１が第２基板１０Ａに設けられているため、第２電源８１の出力電圧を検出する検出回路も第２基板１０Ａに設けられる。そのため、表示制御部７２が実装される第１基板１０Ｂが画像処理装置１０から取り外された場合に、表示制御部７２への給電停止前に前記制御終了処理を終了することができなくなる。
【００２９】
これに対し、本発明の実施形態に係る画像処理装置１０では、以下に説明するように、表示制御部７２が実装される第１基板１０Ｂが取り外された場合であっても、表示制御部７２への給電停止前に前記制御終了処理を終了させることが可能である。
【００３０】
以下、図４を参照しつつ、信号出力回路８３について説明する。
【００３１】
信号出力回路８３は、第１電源８２の出力電圧が低下した場合に、前記制御終了信号を生成して表示制御部７２に出力する。図４に示されるように、信号出力回路８３は、ダイオード８３１、平滑コンデンサ８３２、検出部８３３、及び信号出力部８３４を備える。
【００３２】
ダイオード８３１は、第１電源８２と表示制御部７２との間に接続される。具体的に、図４に示されるように、ダイオード８３１は、アノード端子が第１電源８２に接続され、カソード端子が表示制御部７２に接続される。
【００３３】
平滑コンデンサ８３２は、図４に示されるように、ダイオード８３１のカソード端子とグランドとの間に接続される。平滑コンデンサ８３２は、第１電源８２から出力される直流電圧の変動を吸収して平滑化する。また、平滑コンデンサ８３２は、外部電源２０及び第２電源８１の間の接続が遮断された場合に、充電された電力を表示制御部７２に供給する。平滑コンデンサ８３２の静電容量は、表示制御部７２において前記制御終了処理が実行されている間の電力消費量及び前記制御終了処理の実行時間に基づいて適宜の値に設定される。ここに、平滑コンデンサ８３２が、本発明におけるコンデンサの一例である。
【００３４】
検出部８３３は、ダイオード８３１における逆バイアスを検出する。具体的に、検出部８３３は、図４に示されるように、第１抵抗器８３３Ａ、及びＰＮＰ型トランジスター８３３Ｂを含む。第１抵抗器８３３Ａは、図４に示されるように、ダイオード８３１のアノード端子と、ＰＮＰ型トランジスター８３３Ｂのベース端子との間に接続される。ＰＮＰ型トランジスター８３３Ｂは、図４に示されるように、ベース端子が第１抵抗器８３３Ａを介してダイオード８３１のアノード端子に接続され、エミッタ端子がダイオード８３１のカソード端子に接続され、コレクタ端子が信号出力部８３４に接続される。
【００３５】
信号出力部８３４は、検出部８３３によってダイオード８３１における逆バイアスが検出された場合に、前記制御終了信号を表示制御部７２に出力する。具体的に、信号出力部８３４は、図４に示されるように、第２抵抗器８３４Ａ、第３抵抗器８３４Ｂ、及びＮＰＮ型トランジスター８３４Ｃを含む。第２抵抗器８３４Ａは、図４に示されるように、ダイオード８３１のカソード端子と表示制御部７２の入力端子７２Ａとの間に接続される。第３抵抗器８３４Ｂは、図４に示されるように、検出部８３３のＰＮＰ型トランジスター８３３Ｂのコレクタ端子とＮＰＮ型トランジスター８３４Ｃのベース端子との間に接続される。ＮＰＮ型トランジスター８３４Ｃは、図４に示されるように、ベース端子が第３抵抗器８３４Ｂを介して検出部８３３のＰＮＰ型トランジスター８３３Ｂのコレクタ端子に接続され、コレクタ端子が表示制御部７２の入力端子７２Ａに接続され、エミッタ端子がグランドに接続される。
【００３６】
次に、信号出力回路８３の動作について説明する。
【００３７】
まず、外部電源２０から第２電源８１へ電力が供給されている間は、第１電源８２から３．３ボルトの電圧が出力される。この場合、ダイオード８３１は順バイアスとなり、第１電源８２から表示制御部７２へ電力が供給される。また、第１電源８２から供給される電力により、平滑コンデンサ８３２が充電される。また、検出部８３３のＰＮＰ型トランジスター８３３Ｂ及び信号出力部８３４のＮＰＮ型トランジスター８３４Ｃが共にオフ状態となる。そのため、表示制御部７２の入力端子７２Ａにはハイレベルの電気信号が入力される。
【００３８】
次に、外部電源２０と第２電源８１との間の接続が遮断されると、第２電源８１における出力電圧が低下し、第１電源８２の出力電圧も低下する。第１電源８２の出力電圧の低下によって、ダイオード８３１のアノード端子における電位がカソード端子における電位より低くなると、ダイオード８３１が逆バイアスとなる。これにより、第１電源８２と表示制御部７２とを接続する通電経路が遮断される。また、平滑コンデンサ８３２から放電が開始される。表示制御部７２は、ダイオード８３１が逆バイアスとなった後は、平滑コンデンサ８３２に充電された電力によって稼働する。また、ダイオード８３１のアノード端子における電位がカソード端子における電位より低くなると、検出部８３３のＰＮＰ型トランジスター８３３Ｂのエミッタ端子とベース端子との間に電流が流れて、ＰＮＰ型トランジスター８３３Ｂがオン状態となる。これにより、信号出力部８３４のＮＰＮ型トランジスター８３４Ｃのベース端子とエミッタ端子との間に電流が流れて、ＮＰＮ型トランジスター８３４Ｃがオン状態となる。そのため、表示制御部７２の入力端子７２Ａに入力される電気信号の出力レベルがハイレベルからローレベルに切り替わる。即ち、信号出力部８３４から表示制御部７２に前記制御終了信号が出力される。これにより、表示制御部７２において前記表示終了処理が実行される。
【００３９】
ここで、表示制御部７２において前記表示終了処理が実行されている間、第１電源８２と表示制御部７２とを接続する通電経路はダイオード８３１によって遮断される。これにより、平滑コンデンサ８３２に充電された電力が第１電源８２に接続される他の負荷１０Ｄに供給されることが回避される。従って、第１電源８２に接続される他の負荷１０Ｄにおける負荷状況によって、表示制御部７２における平滑コンデンサ８３２からの給電による稼働時間が左右されることがない。
【００４０】
以上に説明したように、画像処理装置１０では、第１電源８２の出力電圧が低下した場合に、第１電源８２と表示制御部７２とを接続する通電経路が遮断されて平滑コンデンサ８３２による表示制御部７２への給電が開始されると共に、前記制御終了信号が生成されて表示制御部７２に出力される。また、画像処理装置１０では、第１電源８２及び信号出力回路８３が、表示制御部７２が実装された第１基板１０Ｂに設けられる。これにより、表示制御部７２が実装される第１基板１０Ｂが取り外された場合であっても、表示制御部７２への給電停止前に前記制御終了処理を終了させることが可能である。
【符号の説明】
【００４１】
１  ＡＤＦ
２  画像読取部
３  画像形成部
４  給紙部
５  メイン制御部
６  操作部
７  表示部
８  電源部
１０  画像処理装置
１０Ａ  第２基板
１０Ｂ  第１基板
７１  表示パネル
７２  表示制御部
８１  第２電源
８２  第１電源
８３  信号出力回路
８３１  ダイオード
８３２  平滑コンデンサ
８３３  検出部
８３４  信号出力部
【図１】
2018036697.tif 000003
【図２】
2018036697.tif 000004
【図３】
2018036697.tif 000005
【図４】
2018036697.tif 000006